(57)【特許請求の範囲】
【請求項１】
前面開口部に蓋体を開閉自在に取着した洗浄槽と、この洗浄槽内に配置した食器かごとを備え、食器かごは、側面に洗浄槽内を前後方向に摺動可能な第１の摺動部材を設け、底部に洗浄槽の底部に対して前後方向に摺動可能な第２の摺動部材を設け、第１の摺動部材の上部内側および下部外側にそれぞれ、食器かごの一部である前後方向の線材を嵌合させる食器洗い機。
【請求項２】
第１の摺動部材または第２の摺動部材に、食器かごが洗浄槽の前面開口部から所定の寸法以上に引き出されるのを阻止するストッパーを設けた請求項１記載の食器洗い機。
【請求項３】
第２の摺動部材の後端部に、洗浄槽の底部からの受け部に対して当接するストッパーを設けた請求項２記載の食器洗い機。
【請求項４】
第１の摺動部材は、洗浄槽の側面に設けた凸部を上下から挟み込むよう構成した請求項１〜３のいずれか１項に記載の食器洗い機。
【発明の詳細な説明】
【０００１】
【発明の属する技術分野】
本発明は、前面開口部を有し、食器類に向けて洗浄水を噴射して食器を洗浄する食器洗い機に関するものである。
【０００２】
【従来の技術】
従来、この種の食器洗い機は図６〜図８に示すように構成していた。以下、その構成について説明する。
【０００３】
図６に示すように、洗浄槽１は、前方に開口部２を有し、この開口部２を扉３により開閉するとともに、内部に洗浄水を噴射する水平ノズル４を回転自在に設けており、洗浄槽１内に食器類５を収納する食器かご６を配置している。洗浄槽１は台枠７にて支持されている。
【０００４】
洗浄槽１内の洗浄水はヒータ８によって温水化され、洗浄ポンプ９にて排水口１０に設
けた残菜フィルタ１１から吸い込まれ、水平ノズル４に圧送されて食器類５に向けて噴出し、循環することにより洗浄される。洗浄行程が終了すると、洗浄槽１の下部に設けた排水ポンプ１２によって機外に洗浄水が排水される。給水弁１３は洗浄槽１へ洗浄水を給水するものである。
【０００５】
食器かご６は、図７に示すように、回転自在に装着したローラー６ａを複数個有し、洗浄槽１の左右側面に設けた凸部１ａ上に乗っている。さらに扉３を開けた状態では、図８に示すように、洗浄槽１の左右側面に設けた凸部１ａ上に続き、扉３の裏面を移動し、手前に引き出し可能となっている。
【０００６】
使用者は、扉３を手前に引き倒して開け、食器かご６を引き出し、洗浄すべき食器類５を食器かご６に配置する。すべての食器類５を配置し終わると、食器かご６を洗浄槽１内に押し入れて扉３を閉じ、スタートスイッチ（図示せず）を押して、洗浄行程を開始する。
【０００７】
【発明が解決しようとする課題】
このような従来の食器洗い機においては、食器かご６は、手前に引き倒された扉３の裏面がなければ、手前にて支持することができず、引き出すことができなかった。したがって、扉３が手前に引き倒される構成であることが前提であった。
【０００８】
しかしながら、近来の日本の住宅事情により、特にマンション等の集合住宅においては、台所の空間が狭く、扉３を手前に引き倒す従来の形態の食器洗い機では、扉３が水栓に当たったり、調理空間がなくなるなどの不具合が生じており、扉３を含めて省スペースの食器洗い機が求められており、この場合、手前に引き倒さない扉を有する食器洗い機が望まれている。
【０００９】
また、従来の別の食器洗い機として、洗浄槽の上方に開口部を有し、洗浄槽の上方を扉により開閉する形態のものも存在するが、この場合は、食器かごを手前にて支持することができないため、手前に引き出すことはできず、使用者にとっては食器類を運ぶ距離が長くなり、使い勝手が悪いものとなっていた。
【００１０】
本発明は上記従来の課題を解決するもので、扉を手前に引き倒すことなく、食器かごを手前に引き出せるようにすることを目的としている。
【００１１】
【課題を解決するための手段】
本発明は上記目的を達成するために、前面開口部に蓋体を開閉自在に取着した洗浄槽と、この洗浄槽内に配置した食器かごとを備え、食器かごは、側面に洗浄槽内を前後方向に摺動可能な第１の摺動部材を設け、底部に洗浄槽の底部に対して前後方向に摺動可能な第２の摺動部材を設け、第１の摺動部材の上部内側および下部外側にそれぞれ、食器かごの一部である前後方向の線材を嵌合させるものである。
【００１２】
これにより、食器かごは側面と底部で重量を支え、洗浄槽内を前後方向に摺動させることができ、手前へ引き出し可能となり、扉が手前に引き倒すことなく、食器かごを手前に引き出すことができる。また、食器かごに配置した食器類の重量は第１の摺動部材を食器かごに押しつける方向に働くので、使用中に食器かごの側面の第１の摺動部材が外れるのを防止できる。
【００１３】
【発明の実施の形態】
本発明の請求項１に記載の発明は、前面開口部に蓋体を開閉自在に取着した洗浄槽と、この洗浄槽内に配置した食器かごとを備え、前記食器かごは、側面に洗浄槽内を前後方向に摺動可能な第１の摺動部材を設け、底部に洗浄槽の底部に対して前後方向に摺動可能な第２の摺動部材を設けたものであり、食器かごは側面と底部で重量を支え、洗浄槽内を前後方向に摺動させることができ、手前へ引き出し可能となり、扉が手前に引き倒すことなく、食器かごを手前に引き出すことができる。さらに、底面にも第２の摺動部材を設けているので、食器かごのたわみを抑えることができるとともに、側面の第１の摺動部材に加わる荷重を低減できるので、軽微な力で食器かごを前後に移動させることができる。また、食器かごに配置した食器類の重量は第１の摺動部材を食器かごに押しつける方向に働くので、使用中に食器かごの側面の第１の摺動部材が外れるのを防止できる。
【００１４】
請求項２に記載の発明は、上記請求項１に記載の発明において、第１の摺動部材または第２の摺動部材に、食器かごが洗浄槽の前面開口部から所定の寸法以上に引き出されるのを阻止するストッパーを設けたものであり、使用者が所定の寸法以上に食器かごを引き出してしまい食器類を配置した食器かごが手前に落下するのを防止できる。
【００１５】
請求項３に記載の発明は、上記請求項２に記載の発明において、第２の摺動部材の後端部に、洗浄槽の底部からの受け部に対して当接するストッパーを設けたものであり、手前に引き出す操作性を阻害することなく、かつ別の部品を設ける必要なく、安価な構成にて、使用者が所定の寸法以上に食器かごを引き出してしまい食器類を配置した食器かごが手前に落下するのを防止できる。
【００１６】
請求項４に記載の発明は、上記請求項１〜３に記載の発明において、第１の摺動部材は、洗浄槽の側面に設けた凸部を上下から挟み込むよう構成したものであり、食器かごを引き出した状態にて、食器かごの前端に不意の大きな荷重が加えられた場合においても、第１の摺動部材の下部が洗浄槽側面に設けた凸部に当たるため、食器類を載せた食器かごが手前に落下するのを防止できる。
【００１７】
【実施例】
以下、本発明の一実施例について、図面を参照しながら説明する。
【００１８】
図１に示すように、洗浄槽１４は前方に開口部１５を有し、この開口部１５を蓋体１６により開閉するとともに、内部に洗浄水を噴射する水平ノズル１７を回転自在に設けており、洗浄槽１４内に食器類１８を収納する食器かご１９を配置している。洗浄槽１４は台枠２０にて支持されている。
【００１９】
洗浄槽１４内の洗浄水はヒータ２１によって温水化され、洗浄ポンプ２２にて排水口２３に備えた残菜フィルタ２４から吸い込まれ、水平ノズル１７に圧送されて食器類１８に向けて噴出し、循環することにより洗浄される。洗浄行程が終了すると、洗浄槽１４の下部に設けた排水ポンプ２５によって機外に洗浄水が排水される。給水弁２６は洗浄槽１４へ洗浄水を給水するものである。
【００２０】
蓋体１６は洗浄槽１４の前方開口部１５の上方にて係止するとともに、図２に示すように、２つに折れ曲がる構成としている。使用者が蓋体１６を開けた状態において、蓋体１６が上方にて折り畳まれるため、台所の水栓などに当たることもなく、天井に対しても余裕があり、狭いスペースにても使用することができるよう構成している。
【００２１】
食器かご１９は、図３に示すように、左右側面にそれぞれ反対向きに第１の摺動部材２７を取り付けてあり、また、底面には第２の摺動部材２８を取り付けてある。
【００２２】
第１の摺動部材２７は、ポリアセタール、ポリアミドなどの摩擦係数が少なく、耐摩耗性がすぐれた樹脂で構成し、図４に示すように、洗浄槽１４の左右側面に設けた凸部１４ａの上面に乗り上げて摺動する支持部２７ａと、食器かご１９が引き出された状態で不意に前端に大きな荷重が加えられた場合においても洗浄槽１４の側面に設けた凸部１４ａに当てることで食器類１８を載せた食器かご１９が手前に落下するのを防止するための下リブ２７ｂと、食器かご１９に係止するために１つ以上設けた爪部２７ｃと、食器かご１９に設けた位置決め用縦線材１９ｂを通す溝部２７ｄとで構成している。
【００２３】
第１の摺動部材２７は、食器かご１９に対して、位置決め用縦線材１９ｂを抱き込んで、前後方向の線材１９ｃに爪部１４ｃを嵌合させているので、前後左右方向にずれることはない。また、食器かご１９の側面の外から内側に向けて取り付けているため、食器かご１９に載せた食器類１８の重量は第１の摺動部材２７を食器かご１９に押しつける方向に働くので、食器洗い機の使用中に側面摺動部材２７が外れる事態を防止できる。また、爪部２７ｃにて食器かご１９に取り付けているので、ビス等の別部材を使用することなく、安価で容易に係止することができる。
【００２４】
つぎに、第２の摺動部材２８は、第１の摺動部材２７と同様に、ポリアセタール、ポリアミドなどの摩擦係数が少なく、耐摩耗性がすぐれた樹脂で構成し、図５に示すように、洗浄槽１４の底面に設けた凸部１４ｂの上面に乗り上げて摺動する支持部２８ａと、食器かご１９の左右方向の線材１９ｄに引掛ける前引掛部２８ｂおよび爪部２８ｃと、作業者が食器かご１９を引き出したときに洗浄槽１４の底面に設けた凸部１４ｂに当たって引き出し量を規制するストッパー部２８ｄとで構成している。
【００２５】
第２の摺動部材２８は、食器かご１９に対して、前後方向の線材１９ｃを抱き込んで、左右方向の線材１９ｄに爪部２８ｃを嵌合させているので、前後左右方向にずれることはない。支持部２８ａは食器かご１９の前後方向の線材１９ｃの下方に設けてあるので、食器かご１９と洗浄槽１４の底面に設けた凸部１４ｂの間に挟まれるため、食器類１８の荷重が第２の摺動部材２８を折れ曲げる方向には働かない。
【００２６】
洗浄槽１４の底面に設けた凸部１４ｂには、摺動部の左右に、前後方向に伸びるリブが設けてあり、その間を第２の摺動部材２８の支持部２８ａが通る構成としているので、第２の摺動部材２８が洗浄槽１４の底面に設けた凸部１４ｂから外れることはない。また、爪部２８ｃにて食器かご１９に取り付けているので、ビス等の別部材を使用することなく安価で容易に係止することができる。
【００２７】
【発明の効果】
以上のように本発明の請求項１に記載の発明によれば、前面開口部に蓋体を開閉自在に取着した洗浄槽と、この洗浄槽内に配置した食器かごとを備え、食器かごは、側面に洗浄槽内を前後方向に摺動可能な第１の摺動部材を設け、底部に洗浄槽の底部に対して前後方向に摺動可能な第２の摺動部材を設け、第１の摺動部材の上部内側および下部外側にそれぞれ、食器かごの一部である前後方向の線材を嵌合させるから、食器かごは側面と底部で重量を支え、洗浄槽内を前後方向に摺動させることができ、手前へ引き出し可能となり、蓋体が手前に引き倒すことなく、食器かごを手前に引き出すことができる。さらに、底面にも第２の摺動部材を設けているので、食器かごのたわみを抑えることができるとともに、側面の第１の摺動部材に加わる荷重を低減できるので、軽微な力で食器かごを前後に移動させることができる。また、食器かごに配置した食器類の重量は第１の摺動部材を食器かごに押しつける方向に働くので、使用中に食器かごの側面の第１の摺動部材が外れるのを防止できる。
【００２８】
また、請求項２に記載の発明によれば、第１の摺動部材または第２の摺動部材に、食器かごが洗浄槽の前面開口部から所定の寸法以上に引き出されるのを阻止するストッパーを設けたから、使用者が所定の寸法以上に食器かごを引き出してしまい食器類を配置した食
器かごが手前に落下するのを防止できる。
【００２９】
また、請求項３に記載の発明によれば、第２の摺動部材の後端部に、洗浄槽の底部からの受け部に対して当接するストッパーを設けたから、手前に引き出す操作性を阻害することなく、かつ別の部品を設ける必要なく、安価な構成にて、使用者が所定の寸法以上に食器かごを引き出してしまい食器類を配置した食器かごが手前に落下するのを防止できる。
【００３０】
また、請求項４に記載の発明によれば、第１の摺動部材は、洗浄槽の側面に設けた凸部を上下から挟み込むよう構成したから、食器かごを引き出した状態にて、食器かごの前端に不意の大きな荷重が加えられた場合においても、第１の摺動部材の下部が洗浄槽側面に設けた凸部に当たるため、食器類を載せた食器かごが手前に落下するのを防止できる。
【図面の簡単な説明】
【図１】  本発明の一実施例の食器洗い機の縦断面図
【図２】  同食器洗い機の食器かごを引き出した状態の一部切欠した縦断面図
【図３】  同食器洗い機の蓋体を開いた状態の正面図
【図４】  同食器洗い機の食器かごの第１の摺動部材の拡大斜視図
【図５】  同食器洗い機の食器かごの第２の摺動部材の一部切欠した拡大斜視図
【図６】  従来の食器洗い機の縦断面図
【図７】  同食器洗い機の食器かごの斜視図
【図８】  同食器洗い機の食器かごを引き出した状態の一部切欠した縦断面図
【符号の説明】
１４  洗浄槽
１５  前面開口部
１６  蓋体
１９  食器かご
２７  第１の摺動部材
２８  第２の摺動部材
【図１】
0004151152.tif 000002
【図２】
0004151152.tif 000003
【図３】
0004151152.tif 000004
【図４】
0004151152.tif 000005
【図５】
0004151152.tif 000006
【図６】
0004151152.tif 000007
【図７】
0004151152.tif 000008
【図８】
0004151152.tif 000009